(57)【要約】【課題】  折りたたみ機器を結合するヒンジ部分にユニット間の信号や電源線ケーブルを通す必要がある。このケーブルからの電波放射がノイズとなって、受信性能を劣化させる。【解決手段】  ２つのユニットを有し、機械的可動結合部により結合されて、展開状態と収納状態の２つの態様をとれる携帯型電子機器において、２つのユニットにそれぞれ電池を配し、その間を接続する電源線を有しないようにする。さらに、２つのユニットそれぞれに表面に収納状態で互いに接触するように配した電極と、基本部ユニットに充電制御回路と、前記電極を介して可動部ユニットの電池も充電可能とする回路とを備える。さらに、基本部ユニットの電池の電圧が所定値以下のとき、収納状態時に可動部ユニットの電池を充電用電源として用いる回路を有する。【選択図】図２
2008072668.tif 000002
【特許請求の範囲】
【請求項１】
２つのユニットを有し、それらが機械的可動結合部により結合されて、展開状態と収納状態の２つの態様をとれる携帯型電子機器であって、
２つのユニットにそれぞれ電池を有する
ことを特徴とする携帯型電子機器
【請求項２】
基本部と可動部との２つのユニットを有し、それらが機械的可動結合部により結合されて、展開状態と収納状態の２つの態様をとれる携帯型電子機器であって、
２つのユニットそれぞれに配置した電池と、
各ユニット表面に収納状態でのみ互いに接触するように配した電極と、
基本部ユニットに充電制御回路と、前記電極を介して可動部ユニットの電池を充電可能とする回路と
を有することを特徴とする携帯型電子機器。
【請求項３】
請求項２に記載の携帯電子機器であって、
基本部ユニットの電池の電圧が所定値を満たすか検出する回路と、満たさない場合に、収納状態時に可動部ユニットの電池を充電用電源として動作させる回路と
を有することを特徴とする携帯型電子機器。
【発明の詳細な説明】
【技術分野】
【０００１】
携帯型電子機器は、折りたたみ構造により、不使用時（収納時）に小型化し、かつ不用意に操作ボタンが押されたりしないようにした電子機器が多く利用されるようになってきている。
【０００２】
代表的な折りたたみ機器は、携帯電話機やノートパソコンに見られるように、２つのユニットからなり、一つは本体機能部（基本部）を、他のユニット（可動部）には表示装置を主体とした部分を収容する。この場合、２つのユニットを結合するヒンジ部分にユニット間の信号や電源線ケーブルを通す必要がある。
【０００３】
現在の携帯型電子機器は通信機能を有することが必須となってきており、このケーブルからの電波放射がノイズとなって、通信における受信性能を劣化させる問題があった。本発明は、この問題を解決する方式に関するものである。
【背景技術】
【０００４】
例として、図１に折りたたみ型の携帯電話機の構造の模式図を示す。この他に、スライド型、回転型などがあるが、目的は同じであり、折りたたみで代表させる。
【０００５】
筐体は本体機能部（基本回路）11を収容する基本部ユニット１と、主として表示装置21を収容する可動部ユニット２とが、ヒンジ３によって結合され、可動部ユニット２を機械的に動かして展開状態（使用時）と収納状態（不使用時：折りたたみ状態）の態様にできる。電池12を含む電源部は基本部ユニット１に収められる。
【０００６】
このように、折りたたみ構造などによって結合されたユニット間の信号、電力は、ケーブル５、６を使用して行なうが、図１に示すように、その近くに通信用のアンテナ７が配置されることもある。
【０００７】
基本回路などを動作させるクロックは10MHz〜数10MHzであり、通信用の電波は、800MHz〜数GHzであるが、クロック周波数の高次の高調波は幅広い範囲に発生するので通信周波数帯域に入ってしまう。高次の高調波は弱いとはいえ、微弱な受信信号に対しては影響を与える。
【特許文献１】特開2004-304784号公報
【発明の開示】
【発明が解決しようとする課題】
【０００８】
従ってユニット間のケーブルからの電波放射により、受信時にアンテナにノイズが入るため受信感度の低下の原因になっていた。
【０００９】
ケーブルから電波が放射されないようにする対策として一般的なのは、ケーブルをシールドすることであるが、ユニット間ケーブルの柔軟性が悪化し、開閉操作牲が悪くなる。また、シールドしても電波放射を完全に防ぐことは難しい。    信号線に関しては、シリアル伝送にすることによりクロック周波数が高くなるので、高調波が受信周波数帯域に入らない周波数にすることや、さらに光ケーブルにするなどの解決策があるが、電源線に関しては対応ができない。
【００１０】
本発明はユニット間を接続する電源ケーブルからの電波ノイズによる通信受信感度の劣化を避けることを課題とする。
【課題を解決するための手段】
【００１１】
２つのユニットを有し、機械的可動結合部により結合されて、展開状態と収納状態の２つの態様をとれる携帯型電子機器において、
２つのユニットにそれぞれ電池を配し、その間を接続する電源線を有しないようにする。これによりユニット間の電源線によって受信アンテナに誘導される電波ノイズを避けることができる。
【００１２】
なお、折りたたみ型携帯電話機において各ユニットに電池を備えることは次の文献に開示されている。
しかし、これは２つのユニットを物理的に分離することを想定しており、それぞれに電池を必要とすることは必然である。そして、充電のためにはヒンジ部を介して電源を供給している。
【００１３】
第２の発明は、さらに、２つのユニットそれぞれに表面に収納状態で互いに接触するように配した電極と、基本部ユニットに充電制御回路と、前記電極を介して可動部ユニットの電池も充電可能とする回路とを備える。
【００１４】
これにより収納状態において、充電制御回路をもたないユニットの電池にも充電することができる。
【００１５】
第３の発明は、さらに、基本部ユニットの電池の電圧が所定値以下のとき、収納状態時に可動部ユニットの電池を充電用電源として用いる回路を有する。すなわち外部からの電力供給が無い場合に、可動部ユニットの電池を充電用電源とする。
【発明の効果】
【００１６】
ユニット間を結ぶ電源線が無いため、ここから電波ノイズが放射されることが無い。従ってユニット結合部近くに受信アンテナがあっても受信感度を劣化させることが無い。
【００１７】
ユニット間の電源線が不要なため機械的結合部（ヒンジ部）の構造が簡単になり、形状デザインの自由度を高めることができる。
【００１８】
片方に充電用の回路を置き、収納状態で両方の電池を充電することができる。さらに、可動部ユニットの電池を、基本部ユニットの電池の充電電源として使用できることにより、緊急避難的に基本部の機能を延長使用することができる。たとえば緊急時に通信機能の使用時間を延長・維持することができる。
【発明を実施するための最良の形態】
【００１９】
(実施例１)
図２に本発明の携帯型情報機器の例として携帯電話機の構成を、図３に電源回路の概念例を示す。ノートパソコンなどでも同様である。
【００２０】
基本部ユニット１、可動部ユニット２のそれぞれに、電池12、22が備えられている。それぞれのユニットの内部に備えられる機能回路にはこれらの電池から電源が供給され、両ユニット間を接続する電源線は存在しない。
【００２１】
基本部ユニット１に対して可動部ユニット２を閉じると、点線Ａで示すように、可動部ユニット２の電極23が基本部ユニット１の電極13に接続され、外部充電端子４から電源を供給されているとき、基本部ユニット１に備える充電制御回路14により、基本部ユニットの電池12と同時に可動部ユニット２の電池22へも充電することができる。
【００２２】
なお、ここではAC電源を直流に変換する回路等は外部充電端子４の外にあるとしているが、もちろんそれを含めて内蔵してもよい。
【００２３】
以下に図３の電源回路例の動作を説明する。
【００２４】
基本部ユニット１に対して可動部ユニット２を閉じ、可動部ユニット２の電極23が基本部ユニット１の電極13に接続されているとき、外部充電端子４から電源を供給されていれば、前述のように可動部ユニット２の電池22にも充電が行われる。
【００２５】
外部から電源を供給できない場合には、比較回路15により電池12の端子電圧をが所定値より低いと判定したとき、トランジスタS2がOFFとなりトランジスタS1のベース電流を制御しS1がONとなる。電池22の電圧はDCDCコンバータ16により必要な電圧に昇圧され電池12に加えられる。これにより電池22の電力を使用して、電池12を充電することが可能となる。なお、この動作を行わせるか否かをスイッチSWで切り替える。
【００２６】
基本部ユニットには、基本動作に不可欠な重要な回路、例えば、送受信部やメモリなどの回路を設け、可動部ユニットには、表示器などを搭載する構成とする。これにより、外部充電端子から供給電力が得られない場合も、可動部ユニットの電池の電力を利用して充電することにより、基本的な動作、たとえば携帯電話としての機能時間を延ばすことが可能となる。
【図面の簡単な説明】
【００２７】
【図１】従来の携帯型情報機器の構成
【図２】本発明の携帯型情報機器の構成
【図３】本発明の電源回路の例
【符号の説明】
【００２８】
１    基本部ユニット
11    （基本部）回路
12    （基本部）電池
13    （基本部）接点端子
14    充電制御回路
２    可動部ユニット
21    （可動部）回路
22    （可動部）電池
23    （可動部）接点端子
３    機械的可動結合部（ヒンジ）
４    外部充電端子
５    信号ケーブル
６    電源ケーブル
７    アンテナ
【図１】
2008072668.tif 000003
【図２】
2008072668.tif 000004
【図３】
2008072668.tif 000005